(57)【要約】      （修正有）【課題】ユーザーは受信希望情報を登録、変更、受信することができ、広告主はユーザーに配信できる配信希望情報を登録、配信することができる情報受配信システムの提供する。【解決手段】広告主サイドの端末と、ユーザーの端末と、管理サーバとが通信ネットワークに接続、管理サーバは、ユーザーが広告主からの情報の受信を希望する地域、項目、受信時間を登録する受信登録手段と、広告主がユーザーに向けて情報の配信を希望する地域、項目、受信時間を登録する配信登録手段とを有しており、さらにユーザーからの受信登録情報に該当する広告主からの配信登録情報を抽出し、ユーザーの端末へ該当情報を配信する該当情報抽出配信手段を備えることで、ユーザーと広告主の情報ニーズがリアルタイムでマッチングできるので、広告主は最も効果的な情報を配信することができる。【選択図】図２
2008186435.tif 000002
【特許請求の範囲】
【請求項１】
複数の端末と、各々の端末と通信ネットワークを介して接続する管理サーバを有する情報受配信システムであり、前記管理サーバが、ユーザー登録とユーザーが情報受信を希望する地域、項目、受信時間とを登録する受信登録手段と、広告主がユーザーに向けて情報配信を希望する地域、項目、配信時間とを登録する配信登録手段と、前記ユーザーからの受信登録情報に該当する前記広告主からの配信登録情報を抽出し、前記ユーザーの端末へ該当情報を配信する該当情報抽出配信手段とを備えたことを特徴とする情報受配信システム。
【請求項２】
前記管理サーバが、前記広告主に前記ユーザーの希望情報を閲覧可能にさせるユーザー希望情報閲覧手段と、前記ユーザー、広告主ともに随時登録情報を変更、更新できる登録情報変更更新手段とを備えたことを特徴とする、請求項１記載の情報受配信システム。
【発明の詳細な説明】
【技術分野】
【０００１】本発明は、通信ネットワークで結ばれたユーザー、および広告主のケータイ等のモバイルを含む端末間で、管理サーバがユーザーの端末から入力された受信希望情報と、広告主の端末から入力された配信希望情報とを管理し、ユーザー、広告主が共に望む最適なタイミングで情報のマッチングを可能にするリアルタイム情報受配信システムに関する。
【背景技術】
【０００２】希望ジャンルの情報を、ユーザーの端末に配信するインターネット情報サービスとしては、メールマガジンが知られている。【０００３】日時・場所・行動などユーザーが置かれた状況を把握し、商品やサービスに対する何らかのニーズが生じたタイミングで、それに合った商品やサービスを提供するコンテクストマーケティングが知られており、電車の定期券とケータイを組み合わせ、ユーザーがその駅に降りたタイミングで、駅周辺の情報がケータイに送信されるサービスが既存する。
【発明の開示】
【発明が解決しようとする課題】
【０００４】然し乍ら従来のメールマガジンは、定期的に大量のメールが不特定多数のユーザーに同報されるため、個々のユーザーが希望する個別のタイミングで情報を送信することは難しい。【０００５】また、従来のコンテクストマーケティング的な情報サービスでは、ユーザー、および広告主サイドともに、受信、および配信を希望する情報の種類やタイミングを、それぞれのケータイ等のモバイル端末から随時変更できず、リアルタイムで配信、または受信したい情報をマッチングする情報提供サービスは存在しない。【０００６】ケータイ等のモバイル端末を使ったマーケティングには各種のものが登場しているが、一般的なＰＣ端末とモバイル端末では、その使われ方、モニターの大きさ等の特性に著しい違いがあるにもかかわらず、ケータイ等のモバイル端末ならではの特性を生かしきった情報提供サービスは存在しない。【０００７】本発明は上記のような課題に鑑み、インターネット通信回線で結ばれたケータイ等のモバイルを含む端末を利用するユーザー、および広告主が、通信ネットワークを介してユーザーはリアルタイムに広告主から入手できる受信希望情報を登録、変更、受信することができ、一方、広告主はリアルタイムでユーザーに配信できる配信希望情報を登録、配信することができ、さらに潜在顧客として高い可能性を有する、広告主の近辺に存在するユーザーがどんな情報を求めているかを閲覧した上で、広告主は配信情報を随時変更、配信することができる情報受配信サービスを提供する。
【課題を解決するための手段】
【０００８】本発明は、ケータイ等の複数の端末と、各々の端末と通信ネットワークを介して接続する管理サーバを有する情報受配信システムであり、管理サーバが、ユーザー登録とユーザーが情報受信を希望する地域、項目、受信時間とを登録する受信登録手段と、広告主がユーザーに向けて情報配信を希望する地域、項目、配信時間とを登録する配信登録手段と、ユーザーからの受信登録情報に該当する広告主からの配信登録情報を抽出し、ユーザーの端末へ該当情報を配信する該当情報抽出配信手段とを有することを特徴とする。【０００９】また本発明は、管理サーバが広告主にユーザーの希望情報を閲覧可能にさせるユーザー希望情報閲覧手段と、ユーザー、広告主ともに随時登録情報を変更、更新できる登録情報変更更新手段とを有することを特徴とする。
【発明の効果】
【００１０】このように、本発明の情報受配信システムによれば、ユーザーはモバイル端末からアクセスすることで、その時、ユーザーがいるその場所で欲しい情報をリアルタイムで入手することができ、さらに欲しい情報の種類やタイミングも随時変更することが可能となる。【００１１】そして、本発明の情報受配信システムによれば、広告主は潜在顧客として極めて高いポテンシャルを持つ限定地域内にいる特定の情報受信を希望しているユーザーに対して、効果的な広告情報を配信することが可能であり、さらにモバイル端末を用いることによって、営業しながら、随時近辺にいるユーザーが求めている情報を確認できることで、ユーザーのニーズに応じた情報に最適なタイミングで変更、更新することも可能となる。
【発明を実施するための最良の形態】
【００１２】本発明の情報受配信システムの実施例を、以下図面に基づいて詳細に説明する。図１には、本発明の全体構成図を示す。広告主サイドの端末ｃｒ１ｄ、ｃｒ２ｄと、ユーザーｃ１、ｃ２、ｃ３の端末ｃ１ｄ、ｃ２ｄ、ｃ３ｄと、管理サーバＳとが通信ネットワーク１０１に接続されている。広告主サイドの端末はＰＣ等の一般的なコンピュータ端末の他、ケータイ等のモバイル端末を用いることができ、図１では広告主本社内の端末ｃｒ２ｄをＰＣ、地域Ａにある店舗内端末ｃｒ１ｄをスタッフｃｒ１が持つケータイ端末とした例を示している。一方、ユーザーサイドの端末も、地域Ａ内にいるリアルユーザーｃ１、ｃ２はケータイ等のモバイル端末、地域Ａ以外の場所にいて、地域Ａに向かう予定のある潜在的ユーザーｃ３はＰＣ等の一般的なコンピュータ端末の他、ケータイ等のモバイル端末を用いることができ、図１ではｃ１ｄ、ｃ２ｄの端末をケータイ端末、ｃ３ｄの端末をＰＣとした例を示している。地域Ａに店舗を有する広告主は、店舗近辺にいるユーザーｃ１、ｃ２、またはこれから地域Ａに出かけようとしていろ潜在的ユーザーｃ３に対し、販売促進につながるような配信情報と配信時間を予め登録しておくことができ、管理サーバＳは広告主からの配信登録内容、配信時間がユーザーからの受信希望情報、受信時間と一致した場合、通信ネットワーク１０１を介してリアルユーザーｃ１、ｃ２、および潜在的ユーザーｃ３の端末に広告主からの配信登録内容を配信する。さらに広告主店舗にいるｃｒ１は、登録した地域Ａのすべてのユーザー受信希望情報を閲覧できることにより、状況に応じて配信登録内容を随時ケータイ端末ｃｒ１ｄから変更することが出来る。【００１３】図２は、通信回線を介してユーザー端末ｃ１ｄ、および広告主端末ｃｒ１ｄにつながれている管理サーバＳが、ユーザーが希望する情報をユーザー端末ｃ１ｄに表示する流れを示す。未登録のユーザーｃ１が当該サイトに空メールでアクセスし、返信されたメールに会員情報を入力して送信すると、管理サーバＳはｃ１の会員情報を登録会員データベースＣＤに保存する（ステップＡ１）。同様に広告主ｃｒ１の端末ｃｒ１ｄから当該サイトにアクセスがあり、配信情報、時間が指定される（ステップＡ２）と、管理サーバＳはｃｒ１の配信情報データを配信情報データベースに保存する（ステップＡ３）。いま登録が完了したユーザーｃ１が引き続き受信希望情報を登録するか、あるいは他の登録済みユーザーの任意の端末から当該サイトにアクセスがあり、管理サーバＳが会員情報を照会し確認できた場合、管理サーバＳは前記ユーザーの端末に受信希望情報の地域、項目、受信時間の指定要求画面を表示し（ステップＡ４）、該ユーザーが指定した地域を登録してあるすべての広告主の端末に該ユーザーの受信希望情報を表示する（ステップＡ５）とともに、受信希望情報に該当する配信希望情報を配信情報データベースから抽出し（ステップＡ６）、当該データをユーザーの端末モニターに表示する（ステップＡ７）。さらにユーザーは、入手したい受信希望情報の変更を、地域、項目、受信時間の指定を変更することで随時可能であり（ステップＡ８）、管理サーバＳは変更された地域に登録のあるすべての広告主の端末に該ユーザーの変更された受信希望情報を表示する（ステップＡ９）。これを閲覧することで、広告主は店舗近辺にいる潜在顧客のニーズを把握しながら、店舗等の繁閑の状況によって、随時、ユーザーへの配信情報を変更することも可能であり、広告主が配信情報、時間を変更する（ステップＡ１０）と、管理サーバＳは広告主の配信情報を書き換え（ステップＡ１１）、配信データベースの情報を更新し、変更された受信希望情報に該当する配信希望情報を、更新された配信情報を含むすべての配信情報データベースから抽出し（ステップＡ１２）、当該データをユーザーの端末モニターに表示する（ステップＡ１３）。
【図面の簡単な説明】
【００１４】
【図１】本発明の情報受配信システムに関する全体構成図。
【図２】本発明のユーザーの受信希望情報と広告主の配信希望情報とをマッチングさせる流れを示すフローチャート。
【符号の説明】
【００１５】１０１  通信ネットワークＳ  管理サーバＣＤ  会員／受信情報データベースＣｒＤ  配信情報データベースｃ１、ｃ２、ｃ３  ユーザーｃｒ１、ｃｒ２  広告主ｃ１ｄ、ｃ２ｄ、ｃ３ｄ  ユーザー端末ｃｒ１ｄ、ｃｒ２ｄ  広告主端末
【図１】
2008186435.tif 000003
【図２】
2008186435.tif 000004